【事件の表示】
　特許第２７７３１６９号「マトリックス型ディスプレイ装置」の請求項１ないし２に係る特許に対する特許異議の申立てについて、次のとおり決定する。
【結論】
　訂正を認める。
　特許第２７７３１６９号の請求項１ないし２に係る特許を維持する。
【理由】
Ｉ．手続きの経緯
　本件特許第２７７３１６９号に係る発明は、昭和６３年１２月２７日に特許出願され、平成１０年４月２４日にその発明ついて特許の設定登録がなされた後、その特許について、特許異議申立人パイオニア株式会社より特許異議申立がなされ、取消理由通知がなされ、その指定期間内である平成１１年６月２２日に訂正請求がなれたものである。
ＩＩ．訂正の適否についての判断
１．訂正の内容
▲１▼訂正事項ａ
　特許請求の範囲の請求項１に係る記載
「【請求項１】マトリックスディスプレイ装置において、
　それぞれ異なる色光表示を行う第１，第２及び第３の画素が隣合う２行上と隣り合う３列上に配置された画素配列によるカラー表示部を有し、
　該カラー表示部に対し、上記画素のそれぞれ隣り合う２行で１本の表示線素を形成し、かつ隣り合う３行で２本の表示線素を構成する表示駆動態様をとることを特徴とするマトリックス型ディスプレイ装置。」を、
「【請求項１】２次電子増倍型のマトリックス型ディスプレイ装置であって、
　内面にカラー表示部を有する前面パネルに対向して配置された平板型電子ビーム制御機構と、該平板型電子ビーム制御機構に対向して配置されたカソードとを有し、
　上記カラー表示部は、赤、緑および青の各色光表示を行う蛍光体画素が、隣り合う２行上と、隣り合う３列上とに配置された画素配列を有して成り、
　上記平板型電子ビーム制御機構は、マトリックス状電極と、２次電子増倍手段とを有し、上記カラー表示部の各蛍光体画素にそれぞれ対応して形成された電子ビーム通路孔が形成され、
　該電子ビーム通路孔は、該電子ビーム通路孔に上記カソードからの電子が導入され、上記２次電子増倍手段によって２次電子増倍された電子ビームが、対応する上記蛍光体画素に向かうようになされ、
　上記マトリックス状電極によって、上記カラー表示部に対し、上記画素のそれぞれ隣り合う２行で１本の表示線素を構成し、かつ隣り合う３行で２本の線素を構成する駆動態様を採るようにしたことを特徴とするマトリックス型ディスプレイ装置。」と訂正する。
▲２▼訂正事項ｂ
　特許請求の範囲の請求項２に係る記載
「【請求項２】マトリックス型ディスプレイ装置において、
　それぞれ異なる色光表示を行う第１，第２及び第３の画素が隣り合う３行１列上に配置された画素配列によるカラー表示部を有し、
　該カラー表示部に対し、上記画素のそれぞれ隣り合う３行で１本の表示線素を形成し、かつ隣り合う４行または５行で２本の表示線素を構成する表示駆動態様をとることを特徴とするマトリックス型ディスプレイ装置。」を
「【請求項２】２次電子増倍型のマトリックス型ディスプレイ装置であって、
　内面にカラー表示部を有する前面パネルに対向して配置された平板型電子ビーム制御機構と、該平板型電子ビーム制御機構に対向して配置されたカソードとを有し、
　上記カラー表示部は、赤、緑および青の各色光表示を行う蛍光体画素が、隣り合う３行１列上に配置された画素配列を有して成り、
　上記平板型電子ビーム制御機構は、マトリックス状電極と、２次電子増倍手段とを有し、上記カラー表示部の各蛍光体画素にそれぞれ対応して形成された電子ビーム通路孔が形成され、
　該電子ビーム通路孔は、該電子ビーム通路孔に上記カソードからの電子が導入され、上記２次電子増倍手段によって２次電子増倍された電子ビームが、対応する上記蛍光体画素に向かうようになされ、
　上記マトリックス状電極によって、上記カラー表示部に対し、上記画素のそれぞれ隣り合う３行で１本の表示線素を構成し、かつ隣り合う４行または５行で２本の表示線素を構成する駆動態様を採るようにしたことを特徴とするマトリックス型ディスプレイ装置。」と訂正する。
▲３▼訂正事項ｃ
　明細書中、第２頁第６行目（特許公報第１頁第２欄第７〜８行目）「ディスプレイ例えばマトリックス型の２次」を「ディスプレイ装置、特にマトリックス型の２次」と訂正する。
▲４▼訂正事項ｄ
　明細書中、第２頁第１０行目（特許公報第１頁第２欄第１２行目）「本発明は、マトリックス表示によるマトリック」を「本発明は、マトリックス表示による２次電子増倍型のマトリック」と訂正する。
▲５▼訂正事項ｅ
　明細書中、第６頁第１３〜１４行目（特許公報第２頁第４欄第２１〜２２行目）「本発明は、第１図Ａに示すように、マトリックス型ディスプレイ装置において、」を「本発明は、２次電子増倍型のマトリックス型ディスプレイ装置において、第１図Ａに示すように、」と訂正する。
▲６▼訂正事項ｆ
　明細書中、第７頁第１５〜１７行目（特許公報第２頁第４欄第３８〜３９行目）「また、本発明においては、第２図にまたは第３図に示すように、マトリックス型ディスプレイ装置において」を「また、本発明においては、２次電子増倍型のマトリックス型ディスプレイにおいて、第２図または第３図に示すように」と訂正する。
▲７▼訂正事項ｇ
　明細書中、第９頁第５〜７行目（特許公報第３頁第５欄第１４〜１５行目）「第４図及び第５図を参照して本発明を２次電子増倍型ディスプレイ装置に適用する場合の一例を説明する。」を「第４図及び第５図を参照して本発明による２次電子増倍型のマトリックス型ディスプレイ装置の一例を説明する。」と訂正する。
▲８▼訂正事項ｈ
　明細書中、第１６頁第１７行目〜第１７頁第６行目（特許公報第４頁第８欄第１２〜２０行目）「また、上述した例では、２次電子増倍型フラットディスプレイ装置に本発明を適用した場合であるが、そのほか各種のマトリックス表示方式によるディスプレイ装置に適用することができる。
　また単管構成によるディスプレイ装置に限らず、例えば１組のＲ，Ｇ，Ｂトリプレット或いは複数組のＲ，Ｇ，Ｂトリプレットについてそれぞれ構成した発光電子管を複数個配列して全体としてマトリックス表示を行うようにしたディスプレイ装置に適用することもできる。」を削除する。
２．訂正の目的の適否、新規事項の有無及び拡張・変更の存否
　▲１▼上記訂正事項ａについては、特許明細書の特許請求の範囲の請求項１に記載されたマトリックス型ディスプレイ装置を、２次電子増倍型のマトリックス型ディスプレイ装置に限定し、かつその平板型電子ビーム制御機構の構成を特定しようとしたものである。
　これついては、例えば第９頁第４行目〜第１５頁末行（特許公報第３頁第５欄第１３行目〜第４頁第７欄第３９行目）、及び図面中第４図及び第５図に記載されているものである。
　したがって、この訂正は、特許法第１２０条の４第２項ただし書き第１号に規定する特許請求の範囲の減縮に相当するものである。
　また、上記訂正事項ａは、願書に最初に添付した明細書及び図面に記載した事項であり、実質上特許請求の範囲を拡張し、又は変更するものでもない。
▲２▼上記訂正事項ｂについては、特許明細書の特許請求の範囲の請求項２に記載されたマトリックス型ディスプレイ装置を、２次電子増倍型のマトリックス型ディスプレイ装置に限定し、かつその平板型電子ビーム制御機構の構成を特定しようとしたものである。
　これついては、例えば第９頁第４行目〜第１５頁末行（特許公報第３頁第５欄第１３行目〜第４頁第７欄第３９行目）、及び図面中第４図及び第５図に記載されているものである。
　したがって、この訂正は、特許法第１２０条の４第２項ただし書き第１号に規定する特許請求の範囲の減縮に相当するものである。
　また、上記訂正事項ｂは、願書に最初に添付した明細書及び図面に記載した事項であり、実質上特許請求の範囲を拡張し、又は変更するものでもない。
▲３▼上記訂正事項ｃ〜ｈについては、上記特許請求の範囲の減縮に基いて生じた特許法第１２０条の４第２項ただし書き第３号に規定する不明瞭な記載の釈明に相当するものである。
　すなわち、上記訂正事項ｃ〜ｈは、願書に最初に添付した明細書又は図面に記載した事項の範囲内の補正であり、また特許請求の範囲を拡張しまたは変更するものではないから、特許法第１２０条の４第３項で準用する第１２６条第２項及び第３項の規定に適合するものである。
３．独立特許要件
（１）本件発明
　平成１１年６月２２日付け訂正明細書の請求項１に係る発明（以後、「本件第１発明」という。）、請求項２に係る発明（以後、「本件第２発明」という。）は、その訂正明細書の特許請求の範囲の請求項１、２に記載された事項により特定される次のとおりのものである。
「【請求項１】２次電子増倍型のマトリックス型ディスプレイ装置であって、
　内面にカラー表示部を有する前面パネルに対向して配置された平板型電子ビーム制御機構と、該平板型電子ビーム制御機構に対向して配置されたカソードとを有し、
　上記カラー表示部は、赤、緑および青の各色光表示を行う蛍光体画素が、隣り合う２行上と、隣り合う３列上とに配置された画素配列を有して成り、
　上記平板型電子ビーム制御機構は、マトリックス状電極と、２次電子増倍手段とを有し、上記カラー表示部の各蛍光体画素にそれぞれ対応して形成された電子ビーム通路孔が形成され、
　該電子ビーム通路孔は、該電子ビーム通路孔に上記カソードからの電子が導入され、上記２次電子増倍手段によって２次電子増倍された電子ビームが、対応する上記蛍光体画素に向かうようになされ、
　上記マトリックス状電極によって、上記カラー表示部に対し、上記画素のそれぞれ隣り合う２行で１本の表示線素を構成し、かつ隣り合う３行で２本の線素を構成する駆動態様を採るようにしたことを特徴とするマトリックス型ディスプレイ装置。
　【請求項２】２次電子増倍型のマトリックス型ディスプレイ装置であって、
　内面にカラー表示部を有する前面パネルに対向して配置された平板型電子ビーム制御機構と、該平板型電子ビーム制御機構に対向して配置されたカソードとを有し、
　上記カラー表示部は、赤、緑および青の各色光表示を行う蛍光体画素が、隣り合う３行１列上に配置された画素配列を有して成り、
　上記平板型電子ビーム制御機構は、マトリックス状電極と、２次電子増倍手段とを有し、上記カラー表示部の各蛍光体画素にそれぞれ対応して形成された電子ビーム通路孔が形成され、
　該電子ビーム通路孔は、該電子ビーム通路孔に上記カソードからの電子が導入され、上記２次電子増倍手段によって２次電子増倍された電子ビームが、対応する上記蛍光体画素に向かうようになされ、
　上記マトリックス状電極によって、上記カラー表示部に対し、上記画素のそれぞれ隣り合う３行で１本の表示線素を構成し、かつ隣り合う４行または５行で２本の表示線素を構成する駆動態様を採るようにしたことを特徴とするマトリックス型ディスプレイ装置。」
（２）当審が通知した取消理由に引用された引用刊行物に記載の発明
▲１▼刊行物１（特開昭６０−３３５８６号公報）には、次の事項が記載されている。
　フルカラー表示を行うマトリクス表示装置が記載されている。
　すなわち、公報の第３頁左上欄第９行〜第３頁右上欄第４行には「フレーム残像を解決するためには…（中略）…隣接する一方の行との２行で一走査線を構成し、一走査線の画像信号を２行同時に伝送する，次のフィールドでは、他の一方の隣接する業との２行で、一走査線を公正する，例えば、…（中略）…２行ずつ選択していく。」と記載されており、公報の第３頁左下欄第６行〜第９行には「第４図は、カラー表示を行うために第３図のマトリックス型液晶画像表示装置での透明画素電極上に、３色のカラーフィルターを設けたものである，」と記載されている。
▲２▼刊行物２（特開昭６２−２３６２８１号公報）には、次の事項が記載されている。
　マトリクス表示装置が記載されている。
　すなわち、公報の第２頁右上欄第４行〜第２頁右上欄第１２行には「本発明は偶数フレームにおける画素と奇数フレームにおける画素とが重なり合いながら、かつ中心がずれるように表示するもので、より具体的には▲１▼走査電極を一画素あたり２本にし、あるフレームでｎ番目とｎ＋１番目の走査電極を共に走査し、次のフレームでｎ番目とｎ−１番目の走査電極を共に走査するか、…（中略）…走査するものである。」と記載されている。
また、公報の第４頁左上欄第１６行〜第４頁右上欄第４行には「カラー表示においても本発明は適用できる，第７図は…（中略）…ＲＧＢの３色そろった場合を１画素とし、三角形状に配置しておく，第７図で実線で囲んだ画素（１８）（１８）…は奇数フレームにおける「１画素」を示し、破線で囲んだ画素（１９）（１９）…は偶数フレームにおける「１画素」を示す，」と記載されている。
▲３▼刊行物３（特開昭６３−９１６９２号公報）には、次の事項が記載されている。
　マトリクス型のカラー画像表示装置が記載されている。
　すなわち、公報の第３頁左上欄第７行〜第３頁右上欄第１６行には「第１図（ａ）においてＲｉ−１，ｊ＋１…（中略）…　はカラー表示セル５であり、…（中略）…　ゲート線３　（Ｇｉ−１〜Ｇｉ＋３）は一本おきに選択回路１と接続されている　…（中略）…　第２図に示すように、奇数フィールドではＧｉ−１とＧｉ、Ｇｉ＋１とＧｉ＋２のぞれぞれの組み合わせが選択され、偶数フィールドではＧｉとＧｉ＋１、Ｇｉ＋２とＧｉ＋３のそれぞれの組み合わせが選択されるので、…（中略）…」と記載されている。
▲４▼刊行物４（特開昭６１−１４１４９２号公報）には、次の事項が記載されている。
　ＲＧＢがモザイク配列されたカラー画像表示のマトリクスディスプレイ装置が記載されている。
　すなわち公報の第２頁右下欄第８行〜第９行には「第１０図に示すようないわゆるモザイク型の色フィルタも提案されている。」と記載されている。
（３）対比・判断
　本件第１、２発明と上記刊行物１、２、３又は４に記載された発明とを対比すると、上記各刊行物に記載された発明は、本件第１、２発明を特定する事項である、「２次電子倍増型のマトリックス型ディスプレイ装置」に関する構成を備えておらず、当該構成により本件第１、２発明は、「２次電子倍増型のマトリックス型ディスプレイ装置において、奇数フィールドと偶数フィールドとで各画素の配列において１行分、或は２行分ずらした組合せによって各画素を余すところなく用いてその表示を行うようにしたことによって例えば従来と同数の画素配列数で、その実質的表示線素数を第１図の例で２倍に、第２図及び第３図の例で２．５倍に増大することができ、これによって走査線密度の向上、したがって高画質化をはかることができる」という顕著な効果を奏するものであり、本件第１、２発明が上記刊行物１〜４に記載のものから容易に発明することができたものとはいえない。
　したがって、本件第１、２発明は特許出願の際独立して特許を受けることができるものである。
４．むすび
　以上のとおりであるから、上記訂正事項は、特許法第１２０条の４第２項及び同条第３項において準用する１２６条第２〜４項の規定に適合するので、当該訂正を認める。
ＩＩＩ．特許異議申立について
１．申立ての理由の概要
　申立人は、証拠として甲第１号証特開昭６０−３３５８６号公報、甲第２号証特開昭６２−２３６２８１号公報、甲第３号証特開昭６３−９１６９２号公報及び甲第４号証特開昭６１−１４１４９２号公報とを提出し、請求項１、２に係る発明の特許は、特許法第２９条第２項の規定に違反してなされたものであるから、特許を取り消すべき旨主張している。
２．判断
　本件第１、２発明は、上記ＩＩ．３．（３）で示したように、取消理由通知で示した刊行物に記載された発明から容易に発明をすることができたものとすることはできない。
３．むすび
　以上のとおりであるから、特許異議申立人の理由及び証拠によっては、本件請求項１、２に係る発明の特許を取り消すことはできない。
　また、他に本件請求項１、２に係る発明の特許を取り消すべき理由を発見しない。
　よって、結論のとおり決定する。
【異議決定日】
平成１１年８月１２日（１９９９．８．１２）
【訂正の要旨】
訂正の要旨
▲１▼訂正事項ａ
　特許請求の範囲の請求項１に係る記載
「【請求項１】マトリックスディスプレイ装置において、
　それぞれ異なる色光表示を行う第１，第２及び第３の画素が隣合う２行上と隣り合う３列上に配置された画素配列によるカラー表示部を有し、
　該カラー表示部に対し、上記画素のそれぞれ隣り合う２行で１本の表示線素を形成し、かつ隣り合う３行で２本の表示線素を構成する表示駆動態様をとることを特徴とするマトリックス型ディスプレイ装置。」を、
「【請求項１】２次電子増倍型のマトリックス型ディスプレイ装置であって、
　内面にカラー表示部を有する前面パネルに対向して配置された平板型電子ビーム制御機構と、該平板型電子ビーム制御機構に対向して配置されたカソードとを有し、
　上記カラー表示部は、赤、緑および青の各色光表示を行う蛍光体画素が、隣り合う２行上と、隣り合う３列上とに配置された画素配列を有して成り、
　上記平板型電子ビーム制御機構は、マトリックス状電極と、２次電子増倍手段とを有し、上記カラー表示部の各蛍光体画素にそれぞれ対応して形成された電子ビーム通路孔が形成され、
　該電子ビーム通路孔は、該電子ビーム通路孔に上記カソードからの電子が導入され、上記２次電子増倍手段によって２次電子増倍された電子ビームが、対応する上記蛍光体画素に向かうようになされ、
　上記マトリックス状電極によって、上記カラー表示部に対し、上記画素のそれぞれ隣り合う２行で１本の表示線素を構成し、かつ隣り合う３行で２本の線素を構成する駆動態様を採るようにしたことを特徴とするマトリックス型ディスプレイ装置。」と訂正する。
▲２▼訂正事項ｂ
　特許請求の範囲の請求項２に係る記載
「【請求項２】マトリックス型ディスプレイ装置において、
　それぞれ異なる色光表示を行う第１，第２及び第３の画素が隣り合う３行１列上に配置された画素配列によるカラー表示部を有し、
　該カラー表示部に対し、上記画素のそれぞれ隣り合う３行で１本の表示線素を形成し、かつ隣り合う４行または５行で２本の表示線素を構成する表示駆動態様をとることを特徴とするマトリックス型ディスプレイ装置。」を
「【請求項２】２次電子増倍型のマトリックス型ディスプレイ装置であって、
　内面にカラー表示部を有する前面パネルに対向して配置された平板型電子ビーム制御機構と、該平板型電子ビーム制御機構に対向して配置されたカソードとを有し、
　上記カラー表示部は、赤、緑および青の各色光表示を行う蛍光体画素が、隣り合う３行１列上に配置された画素配列を有して成り、
　上記平板型電子ビーム制御機構は、マトリックス状電極と、２次電子増倍手段とを有し、上記カラー表示部の各蛍光体画素にそれぞれ対応して形成された電子ビーム通路孔が形成され、
　該電子ビーム通路孔は、該電子ビーム通路孔に上記カソードからの電子が導入され、上記２次電子増倍手段によって２次電子増倍された電子ビームが、対応する上記蛍光体画素に向かうようになされ、
　上記マトリックス状電極によって、上記カラー表示部に対し、上記画素のそれぞれ隣り合う３行で１本の表示線素を構成し、かつ隣り合う４行または５行で２本の表示線素を構成する駆動態様を採るようにしたことを特徴とするマトリックス型ディスプレイ装置。」と訂正する。
▲３▼訂正事項ｃ
　明細書中、第２頁第６行目（特許公報第１頁第２欄第７〜８行目）「ディスプレイ例えばマトリックス型の２次」を「ディスプレイ装置、特にマトリックス型の２次」と訂正する。
▲４▼訂正事項ｄ
　明細書中、第２頁第１０行目（特許公報第１頁第２欄第１２行目）「本発明は、マトリックス表示によるマトリック」を「本発明は、マトリックス表示による２次電子増倍型のマトリック」と訂正する。
▲５▼訂正事項ｅ
　明細書中、第６頁第１３〜１４行目（特許公報第２頁第４欄第２１〜２２行目）「本発明は、第１図Ａに示すように、マトリックス型ディスプレイ装置において、」を「本発明は、２次電子増倍型のマトリックス型ディスプレイ装置において、第１図Ａに示すように、」と訂正する。
▲６▼訂正事項ｆ
　明細書中、第７頁第１５〜１７行目（特許公報第２頁第４欄第３８〜３９行目）「また、本発明においては、第２図にまたは第３図に示すように、マトリックス型ディスプレイ装置において」を「また、本発明においては、２次電子増倍型のマトリックス型ディスプレイにおいて、第２図または第３図に示すように」と訂正する。
▲７▼訂正事項ｇ
　明細書中、第９頁第５〜７行目（特許公報第３頁第５欄第１４〜１５行目）「第４図及び第５図を参照して本発明を２次電子増倍型ディスプレイ装置に適用する場合の一例を説明する。」を「第４図及び第５図を参照して本発明による２次電子増倍型のマトリックス型ディスプレイ装置の一例を説明する。」と訂正する。
▲８▼訂正事項ｈ
　明細書中、第１６頁第１７行目〜第１７頁第６行目（特許公報第４頁第８欄第１２〜２０行目）「また、上述した例では、２次電子増倍型フラットディスプレイ装置に本発明を適用した場合であるが、そのほか各種のマトリックス表示方式によるディスプレイ装置に適用することができる。
　また単管構成によるディスプレイ装置に限らず、例えば１組のＲ，Ｇ，Ｂトリプレット或いは複数組のＲ，Ｇ，Ｂトリプレットについてそれぞれ構成した発光電子管を複数個配列して全体としてマトリックス表示を行うようにしたディスプレイ装置に適用することもできる。」を削除する。
（５４）【発明の名称】
マトリックス型ディスプレイ装置
（５７）【特許請求の範囲】
　【請求項１】　２次電子増倍型のマトリックス型ディスプレイ装置であって、
　内面にカラー表示部を有する前面パネルに対向して配置された平板型電子ビーム制御機構と、該平板型電子ビーム制御機構に対向して配置されたカソードとを有し、
　上記カラー表示部は、赤、緑および青の各色光表示を行う蛍光体画素が、隣り合う２行上と、隣り合う３列上とに配置された画素配列を有して成り、
　上記平板型電子ビーム制御機構は、マトリックス状電極と、２次電子増倍手段とを有し、上記カラー表示部の各蛍光体画素にそれぞれ対応して形成された電子ビーム通路孔が形成され、
　該電子ビーム通路孔は、該電子ビーム通路孔に上記からの電子が導入され、上記２次電子増倍手段によって２次電子増倍された電子ビームが、対応する上記蛍光体画素に向かうようになされ、
　上記マトリックス状電極によって、上記カラー表示部に対し、上記画素のそれぞれ隣り合う２行で１本の表示線素を構成し、かつ隣り合う３行で２本の線素を構成する駆動態様を採るようにしたことを特徴とするマトリックス型ディスプレイ装置。
　【請求項２】　２次電子増倍型のマトリックス型ディスプレイ装置であって、
　内面にカラー表示部を有する前面パネルに対向して配置された平板型電子ビーム制御機構と、該平板型電子ビーム制御機構に対向して配置されたカソードとを有し、
　上記カラー表示部は、赤、緑および青の各色光表示を行う蛍光体画素が、隣り合う３行１列上に配置された画素配列を有して成り、
　上記平板型電子ビーム制御機構は、マトリックス状電極と、２次電子増倍手段とを有し、上記カラー表示部の各蛍光体画素にそれぞれ対応して形成された電子ビーム通路孔が形成され、
　該電子ビーム通路孔は、該電子ビーム通路孔に上記カソードからの電子が導入され、上記２次電子増倍手段によって２次電子増倍された電子ビームが、対応する上記蛍光体画素に向かうようになされ、
　上記マトリックス状電極によって、上記カラー表示部に対し、上記画素のそれぞれ隣り合う３行で１本の表示線素を構成し、かつ隣り合う４行または５行で２本の表示線素を構成する駆動態様を採るようにしたことを特徴とするマトリックス型ディスプレイ装置。
【発明の詳細な説明】
〔産業上の利用分野〕
　本発明は、マトリックス表示によるマトリックス型ディスプレイ装置、特にマトリックス型の２次電子増倍型フラットディスプレイ装置に適用するマトリックス型ディスプレイ装置に関わる。
〔発明の概要〕
　本発明は、マトリックス表示による２次電子増倍型のマトリックス型ディスプレイ装置に関わり、それぞれ異なる色光表示を行う第１，第２及び第３の画素が隣り合う２行上と隣り合う３列上に配置された画素配列によるカラー表示部に対してその画素のそれぞれ隣り合う２行で１本の表示線素を形成し、かつ隣り合う３行で２本の表示線素を構成する表示駆動態様をとる。
　或いはそれぞれ異なる色光表示を行う第１，第２及び第３の画素が隣り合う３行１列上に配置された画素配列によるカラー表示部に対して上記画素のそれぞれ隣り合う３行で１本の表示線素を形成し、かつ隣り合う４行または５行で２本の表示線素を構成する表示駆動態様をとるようにするものである。
　このようにして本発明においてはそのカラー表示の表示線素すなわち走査線密度の向上をはかり、高画質化をはかるようにするものである。
〔従来の技術〕
　マトリックス表示によるディスプレイ装置の例えば液晶ディスプレイ装置において、第６図に示すように赤，緑及び青の各色光を発する画素Ｒ，Ｇ及びＢと、更にそのうちの１つの色光の画素例えばＧとの４個の画素によって白色発光の組とされ、これら各組の画素を縦及び横方向に配列してマトリックス表示部（４）を構成する場合、縦方向に２００組、すなわち画素として２×２００で４００個配置されても表示線素いわゆる走査線としてはＬ１，Ｌ２，Ｌ３‥‥Ｌ２００の２００本となってしまう。このとき２フィールド１フレームによる画像表示としても走査線数が少ないことから実際上奇数フィールドと偶数フィールドの走査線は、一致（共通）させているので、解像度は２００本である。
　一方、第７図に示す様に、例えば大画面表示において、例えば１組の赤，緑及び青の各画素Ｒ，Ｇ及びＢの表示を行うようにした発光電子管Ｔを複数個、縦及び横に配列して全体としてマトリックス表示部（４）を構成するようにした表示装置においては、例えば縦に２００個配列して２００本の走査線Ｌ１，Ｌ２，Ｌ３‥‥Ｌ２００を構成するとき、奇数フィールドで走査線Ｌ１，Ｌ３，Ｌ５‥‥Ｌ１９９を駆動させ、偶数フィールドで走査線Ｌ２，Ｌ４，Ｌ６‥‥Ｌ２００を駆動させる。この場合でも奇数フィールド及び偶数フィールドの重ね合せで解像度は２００本となる。そして、この表示装置において各発光電子管Ｔを第６図で説明した３種４個の画素Ｇ，Ｒ，Ｂ及びＧの１組の発光を行うようにして第６図と同様の画素配列を採った場合でも、その解像度は同様であり、この第６図の配列において各フィールドで互いに他の１つ置きを発光させる態様をとるとき、各点が例えば１／６０秒づつ繰返し点滅されるようにするとフリッカーが目立つことから、倍速スキャンなどの工夫を必要として来る。
　また他の例としては、例えば第８図Ａに示すように、例えば各蛍光体画素Ｒ，Ｇ及びＢのトリプレットを隣り合う２行かつ隣り合う３列を組としていわゆるデルタ配列をもって縦横に複数組配列して表示部を構成し、各共通の列及び行に対してそれぞれ配された電極Ｘ１，Ｘ２，Ｘ３，‥‥，Ｙ１，Ｙ２，Ｙ３‥‥によるマトリックス状電極（９Ｈ）及び（９Ｖ）によって表示を行う場合、奇数フィールドで例えば隣り合う２行を組として、２行おきのＹ１及びＹ２，Ｙ５及びＹ６‥‥によって第８図Ｂに示す鎖線ａで囲んで示したトリプレットを駆動して画像表示を行い、偶数フィールドで他の隣り合う２行置きの２行例えばＹ３及びＹ４，Ｙ７及びＹ８‥‥によって第８図Ｃに示す鎖線ｂで囲んで示したトリプレットを駆動してその表示を行うものがある。すなわち、この場合奇数フィールド及び偶数フィールドの表示が全く重なり合わないようにしていることによって両フィールドで各表示線すなわち例えば走査線（解像度）は、その行数すなわちＹ電極の本数が例えば４００本であれば４００／２＝２００本となる。
〔発明が解決しようとする課題〕
　本発明においては、上述した画素配列による走査線数の制約による解像度の課題の解決をはかり、例えば従来と同数の画素数配列によって従来より見かけ上大なる表示線素数すなわち走査線数の増大化をはかるようにして解像度の向上、したがって画質の向上をはかることを目的とする。
〔課題を解決するための手段〕
　本発明は、２次電子増倍型マトリックス型ディスプレイ装置において、第１図Ａに示すように、それぞれ異なる色光表示を行う第１，第２及び第３の画素すなわち例えば赤，緑及び青の３者の組合せで白色表示を行い得る画素Ｒ，Ｇ及びＢが隣り合う２行上と隣り合う３列上に配置された画素配列によるマトリックス表示部（４）を有し、このマトリックス表示部（４）に対し、画素のＲ，Ｇ，Ｂのそれぞれ隣り合う２行で各１本の表示線素を形成し、かつ隣り合う３行で２本の表示線素を構成する表示駆動態様をとる。つまり例えば奇数フィールドで第１図Ｂに鎖線ａで囲んで示すように隣り合う２行によって余すところなく各画素Ｒ，Ｇ，Ｂを組とする表示駆動をなして、Ｌ１，Ｌ３，Ｌ５‥‥の表示線素例えば走査線を構成し、偶数フィールドで、第１図Ｃに鎖線ｂで囲んで示すように、第１図Ｂの組合せとは１行分ずれて同様に隣り合う２行によって余すところなく各画素Ｒ，Ｇ，Ｂを組とする表示駆動をなしてＬ２，Ｌ４‥‥の表示線素例えば走査線を構成する。
　また、本発明においては、２次電子増倍型のマトリックス型ディスプレイ装置において、第２図または第３図に示すように、それぞれ異なる色光表示を行う第１，第２及び第３の画素すなわち例えば赤，緑及び青の画素の３者の組合せで白色表示を行い得る画素Ｒ，Ｇ，Ｂが隣り合う３行１列上に配置された画素配列によりマトリックス表示部（４）を有し、このマトリックス表示部（４）に対し、画素Ｒ，Ｇ，Ｂのそれぞれ隣り合う３行で１本の表示線素を形成し、かつ隣り合う４行または５行で２本の表示線素を構成する表示駆動態様をとる。つまり例えば奇数フィールドで隣り合う３行によって余すところなく画素Ｒ，Ｇ，Ｂを組とする表示駆動をなしてＬ１，Ｌ３，Ｌ５‥‥の表示線素、例えば走査線素を構成し、偶数フィールドで、第２図に示すように１行分ずれるか第３図で示すように２行分ずれた３行によって余すところなく各画素Ｒ，Ｇ，Ｂを組とする表示駆動をなしてＬ２，Ｌ４‥‥の表示線素例えば走査線を構成する。
　〔作用〕
　本発明においては、上述したように奇数フィールドと偶数フィールドとで各画素の配列において１行分或いは２行分ずらした組合せによって各画素を余すところなく用いてその表示を行うようにしたことによって例えば従来と同数の画素配列線数で、その実質的表示線素数を２倍以上に増大することができ、これによって走査線密度の向上にしたがって高画質化をはかることができる。
　〔実施例〕
　第４図及び第５図を参照して本発明による２次電子増倍型のマトリックス型ディスプレイ装置の一例を説明する。
　この場合、それぞれガラス板よりなる前面パネル（１）と背面パネル（２）とがほぼ平行に対向するようになされ、両者間の周囲に周側壁（３Ｓ）が配されてそれぞれ気密的に例えばフリットシールによって封着された真空容器（３）が設けられる。そして、その前面パネル（１）の内面に例えば赤，緑及び青の各蛍光体画素Ｒ，Ｇ及びＢのトリプレットが例えば第１図に示すように、隣り合うＹ方向の２行とＸ方向の３列に配列されてなる蛍光面すなわちマトリックス表示部（４）が被着形成される。そして、背面パネル（２）側に複数の蛍光体画素の組に対して共通にＹ方向に延びるライン状カソード（５）が平行に複数本Ｘ方向に関して配列される。
　各カソード（５）には、それぞれグリッド電極すなわち第１グリッド電極（６）がカソード（５）の前方を囲むように例えば半円筒状に配置される。この半円筒状の金属板よりなるグリッドは、例えばその円周方向に沿うスリット（６ａ）が多数平行配列するように穿設されてなる。また、このグリッド電極（６）には、その円筒状部分の両側から延在する脚部が設けられこれが背面パネル（２）に取着固定される。
　そして、カソード（５）及びグリッド電極（イ）と、蛍光面（４）との間に例えば各画素Ｒ，Ｇ，Ｂに対応して電子ビーム通路ｈを構成する透孔が形成された平板型電子ビーム制御機構（７）が配置される。この電子ビーム制御機構（７）は、第２図に示すように、主として２次電子増倍手段（８）と、マトリックス状電極すなわちマトリックス変調手段（９）と、さらにそのカソード（５）側に平板状の第１の低電圧シールド電極（３０）が配置されてなる。
　電子ビーム制御機構（７）は、蛍光面（４）側から順次それぞれ電子ビーム通路ｈを構成する透孔が穿設された感光性ガラス等よりなるスペーサ絶縁層（３２）を介して例えば金属板よりなる平板状の高電圧シールド電極（３３）と、さらにスペーサ絶縁層（３４）を介して２次電子増倍手段（８）とが配置される。
　この２次電子増倍手段（８）は、同様に電子ビーム通路ｈを構成する透孔が穿設された複数例えば５枚、図示の例では２枚の２次電子増倍電極板（８１）（８２）が、それぞれ例えば絶縁ビーズ（３７）を介して電気的に絶縁されて積層されてなる。そして、この２次電子増倍手段（８）のカソード側に同様に例えば絶縁ビーズ（３７）を介して同様の電子ビーム通路ｈを形成する透孔が穿設された第２の低電圧シールド電極（３５）が配置される。また、この第２の低電圧シールド電極（３５）のカソード側にマトリックス変調手段（９）が、例えばガラスフリット等の絶縁性接着体によって電気的に絶縁して機械的に接着される。
　このマトリックス変調手段（９）は、例えば第１図Ａ−Ｃに示すように表示部（蛍光面）（４）上の共通の垂直走査方向の線上例えばＹ方向線上に配列された画素Ｒ，Ｇ，Ｂに対して共通に設けられそれぞれＹ方向に沿って延びるようにＸ方向に平行配列された帯状電極Ｘ１，Ｘ２，Ｘ３‥‥の配列による水平変調電極（９Ｈ）と、水平走査方向の共通の線上例えばＸ線上に配列された画素Ｒ，Ｇ，Ｂに対して共通に設けられそれぞれＸ方向に延びるようにＹ方向に平行配列された帯状電極Ｙ１，Ｙ２，Ｙ３‥‥の配列による垂直変調電極（９Ｖ）とより成る。そして、これら各電極Ｘ１，Ｘ２，Ｘ３‥‥，Ｙ１，Ｙ２，Ｙ３‥‥には互いの交叉部のその電子ビーム通路ｈとなる部分にそれぞれメッシュ部を有し、これら水平及び垂直変調電極（９Ｈ）及び（９Ｖ）は電子ビーム通路ｈとなる部分に透孔が穿設されたスペーサ絶縁層（３６）を介して重ね合せられてなる。
　そして、マトリックス変調手段（９）のカソード側に位置する電極例えば電極（９Ｖ）の、そのカソード側に同様にガラスフリット等の絶縁性接着体によって第１の低電圧シールド電極（３０）が電気的に絶縁して機械的に取着配置される。
　また、背面パネル（２）上には、各カソード（５）間にこれらカソード（５）の配列方向すなわちＹ方向に沿ってガラス等の隔壁（４０）によって指示された支持壁状電極（１０）が配置される。
　隔壁（４０）はそれぞれ例えば対の隔壁より成り、両者間に支持壁状電極（１０）を挟着支持するように背面パネル（２）上にフリット付け等によって取着配置される。
　支持壁状電極（１０）はパネル（２）と平板型電子ビーム制御機構（７）との間にこの制御機構（７）を前面パネル（１）に向って押し上げて配置されて、この電極（１０）によって両パネル（１）及び（２）間が所要の間隔に保持されるように支柱としての機能が保持される。
　また、隔壁（４０）の表面には側面電極（４１）が例えばカーボン等の塗膜によって形成される。
　また、２次電子増倍手段（８）の各電極板（８１）（８２）と、高電圧シールド電極（３３）の各透孔内にはそれぞれ２次電子放出比δが高いＭｇ０等の物質層が塗布されてなる。
　この構成において、例えば第１グリッド電極（６）、側面電極（４１）、支持壁状電極（１０）及び第１の低電圧シールド電極（３０）に例えば１０Ｖ印加され、第２の低電圧シールド電極（３５）には１００Ｖが印加される。また、２次電子増倍手段（８）の各電極板（８１）（８２）には順次蛍光面（４）側に向かって高くなる互いに異なる電圧が印加される。
例えば前段の電極（８１）には３５０Ｖの固定電圧、後段の電極（８２）には前段の電極（８１）より高い６００Ｖの固定電圧が印加される。高電圧シールド電極（３３）には１ｋＶが印加され、蛍光面（４）には１０ｋＶが印加される。
　そして、水平変調電極（９Ｈ）及び垂直変調電極（９Ｖ）の各電極Ｘ１，Ｘ２，Ｘ３・・・・及びＹ１，Ｙ２，Ｙ３‥‥に所要の水平周期及び垂直周期をもって０〜６０Ｖの電圧が切換え印加されて通路ｈにおいて、カソード（５）から蛍光面（４）に向かう電子ビームが切換制御される。このとき水平変調電極（９Ｈ）には、ディスプレイ情報に応じて０〜６０Ｖの範囲で変化する信号が印加されてビーム変調がなされて各画素の発光強度の制御がなされる。そして、この場合に本発明においては、たとえば奇数フィールドにおいては、第１図Ｂに示すように、隣り合う２行のＹ１及びＹ２，Ｙ３及びＹ４，Ｙ５及びＹ６‥‥の組合せによって各１本の表示線素Ｌ１，Ｌ３，Ｌ５‥‥を形成するようにして、同Ｂ図中鎖線ａで囲んで示す組合せによるトリプレットによって画像表示をなし、次に偶数フィールドでは、第１図Ｃに示すように１行分ずれた組合せによる２行のＹ２及びＹ３，Ｙ４及びＹ５，‥‥によって各１本の表示線素Ｌ２，Ｌ４，Ｌ６‥‥を形成するようにして同Ｃ図中鎖線ｂで囲んで示す組合せによるトリプレットによって画像表示をなす。
　このようにして第１グリッド電極（６）によってカソード（５）から引出された１次電子が電子ビーム制御機構（７）の電子ビーム通路ｈに入り込み、２次電子増倍手段（８）の各電極（８１）（８２）によって順次２次電子増倍されて表示部（蛍光面）（４）の各画素Ｒ，Ｇ，Ｂへと向かう。このとき水平及び垂直変調電極（９Ｈ）及び（９Ｖ）に与えられた切換電圧及び情報電圧によって蛍光面（４）に向かう電子ビームが変調されて蛍光体画素Ｒ，Ｇ，Ｂの発光変調がなされて光学的表示すなわちディスプレイがなされる。
　尚、上述した例では、第１図で説明した表示態様を採る場合であるが、上述のディスプレイ装置において、その表示部（蛍光面）（４）を、第２図或は第３図に示したように、例えば赤，緑及び青の画素Ｒ，Ｇ及びＢが隣り合う３行１列上に配置された構成とし、奇数フィールドで隣り合う３行、すなわち上述の隣り合う３本の電極Ｙ１Ｙ２Ｙ３，Ｙ４Ｙ５Ｙ６‥‥によって各１本の表示線素Ｌ１，Ｌ３，Ｌ５‥‥を形成するようにし、第３図に示す偶数フィールドで１行分ずれた組合せの隣り合う３本の電極Ｙ２Ｙ３Ｙ４，Ｙ５Ｙ６Ｙ７‥‥或は第３図に示す２行分ずれた組合せの隣り合う３本の電極Ｙ３Ｙ４Ｙ５，Ｙ６Ｙ７Ｙ８，‥‥によって各１本の表示線素Ｌ２Ｌ４Ｌ６‥‥を形成するようにマトリックス状電極、すなわちマトリックス変調手段（９）の駆動態様を採ることができる。
〔発明の効果〕
　本発明においては、上述したように奇数フィールドと偶数フィールドとで各画素の配列において１行分、或は２行分ずらした組合せによって各画素を余すところなく用いてその表示を行うようにしたことによって例えば従来と同数の画素配列数で、その実質的表示線素数を第１図の例で２倍に、第２図及び第３図の例で２．５倍に増大することができ、これによって走査線密度の向上、したがって高画質化をはかることができる。
【図面の簡単な説明】
　第１図〜第３図はそれぞれ本発明によるマトリックス型フラットディスプレイ装置の表示態様の各例を示す図、第４図及び第５図は本発明装置の一例の一部を切欠いた斜視図及びその要部の断面図、第６図〜第８図は従来装置の表示態様の説明図である。
　（１）は前面パネル、（２）は背面パネル、（３）は真空容器、（４）はマトリックス表示部（蛍光面）、（５）はライン状カソード、（６）は（第１）グリッド電極、（７）は平板型電子ビーム制御機構、（８）は２次電子増倍手段、（９）はマトリックス状電極（マトリックス変調手段）である。